(57)【要約】【課題】操作部を介して各種の設定を入力することなく、単体で各種の処理を実行することを可能とする情報処理装置を提供する。【解決手段】第１取得部１１は、設定識別子を有する印刷設定カードが所定の位置に配置されている印刷設定カード用台紙を読み取り、設定特定部１８ｃは、読み取られた設定識別子に基づいて、処理の内容を特定する。そして、第１取得部１１、又は、第２取得部１２は、処理対象のデータを取得し、処理部１８ｆは、特定された処理の内容に従って、取得したデータを処理する。【選択図】図１
2015226160.tif 000002
【特許請求の範囲】
【請求項１】
少なくとも印刷処理を設定するための印刷設定項目を一意に識別可能な識別子と前記印刷設定項目に属する設定値を一意に識別可能な識別子を有した印刷設定カードが所定の位置に配置されている印刷設定カード用台紙を読み取り、読み取った前記識別子に基づいて処理の内容を取得する処理内容取得手段と、
印刷データを取得するデータ取得手段と、
前記処理内容取得手段で取得された前記処理の内容に従って、前記データ取得手段で取得した前記印刷データを処理する処理手段と、
を備えることを特徴とする情報処理装置。
【請求項２】
前記処理内容取得手段により取得された前記処理の内容に、前記処理内容取得手段により取得された前記処理の内容に、前記処理手段による処理が不可となる設定値が設定されているか否かを判定する判定手段と、
前記判定手段により前記処理手段の処理が不可となる設定値が設定されていると判定された場合、設定値の再設定を促すように報知する報知部と、
を、更に、備えることを特徴とする請求項１に記載の情報処理装置。
【発明の詳細な説明】
【技術分野】
【０００１】
本発明は、情報処理装置に関する。
【背景技術】
【０００２】
印刷装置の中には、プリント機能以外の機能、例えば、スキャナ機能、コピー機能、ＦＡＸ（FACSIMILE）機能などを備えた、所謂、複合機と称されるものがある。
【０００３】
印刷装置は、通常、ネットワークに接続されており、印刷ジョブは、ネットワークを介して接続されているＰＣ（Personal Computer）などの情報端末装置から入力される。これに対し、ネットワークの状況や、情報端末装置の接続・稼動状況によらず、印刷装置単体で印刷処理を行うための技術が提案されている（例えば、特許文献１を参照）。
【０００４】
特許文献１で提案されている技術は、ジョブシートに備えられたＩＣ（Integrated Circuit）チップに印刷対象の画像データを記録し、ＩＣチップに記録されているデータを読み取り可能なように構成されている印刷装置が、ジョブシートのＩＣチップに記録されている画像データを読み取り、操作パネル等（以下、操作部という）を介して設定された内容に従って、読み取った画像データを印刷処理するものである。このように構成することで、ネットワークの状況や、情報端末装置の接続・稼動状況によらず、印刷装置単体で印刷処理を行うことを可能としている。
【０００５】
しかしながら、特許文献１で提案されている技術では、所望する処理を実行させるために、操作部を介して、各種の設定を行う必要があり利便性が欠けている。
【先行技術文献】
【特許文献】
【０００６】
【特許文献１】特開２００５−４１１８４号公報
【発明の概要】
【発明が解決しようとする課題】
【０００７】
上記問題点に鑑み、本発明では、操作部を介して各種の設定を入力することなく、単体で各種の処理を実行することを可能とする情報処理装置を提供することを課題とする。
【課題を解決するための手段】
【０００８】
請求項１に係る情報処理装置は、
少なくとも印刷処理を設定するための印刷設定項目を一意に識別可能な識別子と前記印刷設定項目に属する設定値を一意に識別可能な識別子を有した印刷設定カードが所定の位置に配置されている印刷設定カード用台紙を読み取り、読み取った前記識別子に基づいて処理の内容を取得する処理内容取得手段と、印刷データを取得するデータ取得手段と、
前記処理内容取得手段で取得された前記処理の内容に従って、前記データ取得手段で取得した前記印刷データを処理する処理手段と、を備えることを特徴としている。
【０００９】
請求項２に係る情報処理装置は、請求項１に係る情報処理装置において、前記処理内容取得手段により取得された前記処理の内容に、前記処理手段による処理が不可となる設定値が設定されているか否かを判定する判定手段と、前記判定手段により前記処理手段の処理が不可となる設定値が設定されていると判定された場合、設定値の再設定を促すように報知する報知部とを、更に、備えることを特徴としている。
【発明の効果】
【００１０】
請求項１に係る情報処理装置によれば、設定値の識別子を有した設定カードが配置された設定カード用台紙を読み取って、印刷データとユーザが所望する処理内容を取得し、取得した処理内容に従って、印刷データを処理する。このように構成することで、操作部を介して各種の設定値を入力することなく、ユーザが所望する各種の処理を、情報処理装置単体で実行することが可能となる。
【００１１】
請求項２に係る情報処理装置によれば、取得した処理内容に禁止設定が含まれているか否かを判定し、禁止設定が含まれている場合には、処理を中止して、設定値を再設定するように促す報知をする。このように構成することで、処理不可となる設定が含まれていることをユーザは知ることが可能となり、利便性を向上させることが可能となる。
【図面の簡単な説明】
【００１２】
【図１】（Ａ）は、実施形態における印刷装置の構成例を示す機能ブロック図であり、（Ｂ）は、実施形態における記憶部の構成例を示す機能ブロック図である。
【図２】（Ａ）と（Ｂ）は、いずれも、実施形態における設定カードの例の表側と裏側を示す図である。
【図３】実施形態における設定カード用台紙の例を示す図である。
【図４】実施形態における読取範囲管理テーブルの構成例を示す図である。
【図５】実施形態における設定管理テーブルの構成例を示す図である。
【図６】実施形態における禁止設定管理テーブルの構成例を示す図である。
【図７】実施形態における読取処理のフローを説明するためのフローチャートの例の一部である。
【図８】実施形態における読取処理のフローを説明するためのフローチャートの例の他の一部である。
【図９】（Ａ）乃至（Ｅ）は、変形例の効果を説明するための図である。
【図１０】設定カード用台紙の別の例を示す図であり、裏側から見た場合を示す図である。
【発明を実施するための形態】
【００１３】
以下に本発明の実施の形態について図面を参照しながら詳細に説明する。
【００１４】
図１（Ａ）は、本実施形態の印刷装置１０の構成例を示す機能ブロック図である。情報処理装置である印刷装置１０は、例えば、設定カード用台紙ＰＣＰ（詳しくは後述）を処理して、処理対象のデータに対して各種の処理を実行する装置であり、図１（Ａ）に示すように、第１取得部１１と、第２取得部１２と、記憶部１３と、表示部１４と、操作部１５と、プリンタ部１６と、通信部１７と、制御部１８と、を備えて構成されている。
【００１５】
なお、以下においては、印刷装置１０は、これに限定されるものではないが、プリント機能以外の機能を備える複合機であるものとして説明する。また、第１取得部１１が備えるＡＤＦ（Auto Document Feeder）に搭載される媒体には、少なくとも、設定カード用台紙ＰＣＰが含まれているものとして説明する。
【００１６】
印刷装置１０の各機能部の説明の前に、図２と図３を参照して、本実施形態における設定カードＰＣＤと設定カード用台紙ＰＣＰについて、それぞれ、説明する。
【００１７】
図２は、本実施形態における設定カードＰＣＤの例の表側と裏側を示す図である。本実施形態における設定カードＰＣＤは、各種の設定が可能な設定画面を介した設定の入力を行うことなく、所望する各種の処理を印刷装置１０に実行させるためのカードである。
【００１８】
本実施形態における設定カードＰＣＤは、図２（Ａ）に示すように、多角形状であり、表側の中心部には「設定項目」が配置され、表側の各辺の近傍にはその設定項目に属する「設定値」がそれぞれ対応付けられて配置されている。また、表側の「設定項目」と「設定値」に対応する裏側の位置には、対応する「設定項目」（又は、「設定値」）を示す設定識別子ＣＤが配置されている。ここで、設定識別子ＣＤは、対応する「設定項目」あるいは「設定値」を一意に識別可能な識別子であり、例えば、バーコードやＱＲコードなどの２次元コードなどである。
【００１９】
例えば、図２（Ｂ）の例は、「設定項目」が「モード」の設定カードＰＣＤであり、「モード」に属する「設定値」である「プリント」と「コピー」と「ＦＡＸ」と「スキャン」が、各辺の近傍に対応付けられて配置されている。本実施形態においては、このような設定カードＰＣＤが、「設定項目」ごとに用意されている。
【００２０】
図３は、本実施形態における設定カード用台紙ＰＣＰの例を示す図である。本実施形態における設定カード用台紙ＰＣＰは、設定カードＰＣＤを配置し、設定内容を第１取得部１１に読み取らせるための台紙である。
【００２１】
本実施形態における設定カード用台紙ＰＣＰの表側には、図３に示すように、上端の近傍に台紙識別子ＰＩＤが、台紙識別子ＰＩＤより下部に複数の配置ガイドＰＣＧが、識別可能なように配置されており、設定カード用台紙ＰＣＰは、設定カードＰＣＤを配置ガイドＰＣＧが示す位置に固定して配置可能なように構成されている。ここで、台紙識別子ＰＩＤは、設定カード用台紙ＰＣＰであることを示す識別子であり、配置ガイドＰＣＧは、設定カードＰＣＤを配置する位置を示すガイドである。
【００２２】
また、設定カード用台紙ＰＣＰは、配置ガイドＰＣＧに従って設定カードＰＣＤの裏側が設定カード用台紙ＰＣＰの表側と対向するように設定カードＰＣＤを配置した場合に、配置した設定カードＰＣＤの裏側の少なくとも各設定識別子ＣＤが、設定カード用台紙ＰＣＰの裏側から視認可能なように構成されている。
【００２３】
図１に戻り、第１取得部１１は、ＡＤＦやスキャナなどで構成され、第１取得制御部１８ｂ（くわしくは後述）の制御の下、ＡＤＦに搭載された原稿などの媒体を１枚ずつスキャナに送出し、送出した媒体をスキャナで読み取る。
【００２４】
より具体的には、第１取得部１１は、第１取得制御部１８ｂの制御の下、スキャナで読取対象の媒体の所定範囲ＳＡを読み取り、所定範囲ＳＡ内に台紙識別子ＰＩＤが存在する場合、つまり、読取対象の媒体が設定カード用台紙ＰＣＰである場合には、読取範囲管理テーブルＴ１（詳しくは後述）で規定されている読取範囲に従って、読取範囲内の設定識別子ＣＤを読み取る。
【００２５】
また、所定範囲ＳＡ内に台紙識別子ＰＩＤが存在しない場合、つまり、読取対象の媒体が処理対象の原稿である場合には、第１取得部１１は、第１取得制御部１８ｂの制御の下、媒体（原稿）全体を読み取り、読み取った原稿の画像データを記憶部１３のデータ格納部１３ｂ（詳しくは後述）に格納する。ここで、所定範囲ＳＡは、図３を参照して、設定カード用台紙ＰＣＰの台紙識別子ＰＩＤを含むように設定されている範囲である。
【００２６】
図１に戻り、第２取得部１２は、ＵＳＢ（Universal Serial Bus）などのインターフェースなどで構成され、第２取得制御部１８ｅ（詳しくは後述）の制御の下、接続されているＵＳＢメモリなどの可搬型記憶装置から処理対象のデータを取得する。そして、第２取得部１２は、第２取得制御部１８ｅの制御の下、取得したデータをデータ格納部１３ｂに格納する。
【００２７】
記憶部１３は、ＲＡＭ（Random Access Memory）、ＲＯＭ（Read Only Memory）、不揮発性メモリなどで構成され、制御部１８を構成するＣＰＵ（Central Processing Unit）のワークエリア、印刷装置１０全体を制御するための動作プログラムなどの各種プログラムを格納するプログラムエリア、各種データを格納するデータエリアとして機能する。
【００２８】
また、記憶部１３は、図１（Ｂ）に示すように、テーブル格納部１３ａとデータ格納部１３ｂとして機能する。テーブル格納部１３ａは、各種のテーブルを格納し、本実施形態におけるテーブル格納部１３ａには、読取範囲管理テーブルＴ１と設定管理テーブルＴ２と禁止設定管理テーブルＴ３が格納されている。データ格納部１３ｂは、第１取得部１１により生成された画像データ、あるいは、第２取得部１２を介して取得された処理対象のデータを一時的に格納する。
【００２９】
ここで、図４乃至図６を参照して、テーブル格納部１３ａに格納されている、読取範囲管理テーブルＴ１と設定管理テーブルＴ２と禁止設定管理テーブルＴ３について、それぞれ、説明する。
【００３０】
図４は、本実施形態における読取範囲管理テーブルＴ１の構成例を示す図である。本実施形態における読取範囲管理テーブルＴ１は、例えば、第１取得制御部１８が、第１取得部１１を制御して、設定識別子ＣＤを読み取らせる際に参照されるテーブルであり、図４に示すように、「読取範囲」ごとに読取範囲の「定義」が対応付けられているテーブルである。
【００３１】
「読取範囲」欄には、設定識別子ＣＤを読み取る際の読取範囲を一意に識別可能な読取範囲識別子が格納され、「定義」欄には、対応する読取範囲識別子が示す読取範囲を特定するための定義が格納される。なお、以下において、読取範囲識別子Ａｎが示す読取範囲を、読取範囲Ａｎと称することとする。例えば、図４の例では、読取範囲Ａ１の定義は、Ｙ１≦Ｙ≦Ｙ２であることを示している。
【００３２】
読取範囲の各定義は、設定カード用台紙ＰＣＰの予め定められた位置（つまり、配置ガイドＰＣＧが示す位置）に配置されている設定カードＰＣＤの裏面に配置されている設定識別子ＣＤの内で、予め定められた位置にある設定識別子ＣＤのみを読み取れるように設定されている。
【００３３】
例えば、図３の例では、読取範囲Ａ１は、設定項目が「モード」の設定カードＰＣＤの設定識別子ＣＤの内で「コピー」を示す設定識別子ＣＤと、設定項目が「両面」の設定カードＰＣＤの設定識別子ＣＤの内で「両→片」を示す設定識別子ＣＤのみを読取可能なように定義されている。また、例えば、読取範囲Ａ２は、設定項目が「モード」の設定カードＰＣＤの設定識別子ＣＤの内で設定項目を示す設定識別子ＣＤ、つまり、設定項目が「モード」であることを示す設定識別子ＣＤと、設定項目が「両面」の設定カードＰＣＤの設定識別子ＣＤの内で設定項目を示す設定識別子ＣＤ、つまり、設定項目が「両面」であることを示す設定識別子ＣＤのみを読取可能なように定義されている。
【００３４】
つまり、本実施形態においては、読取範囲管理テーブルＴ１で規定されている読取範囲に従って、媒体を読み取った場合、配置ガイドＰＣＧに従って配置されている各設定カードＰＣＤの設定識別子ＣＤの内で、設定カード用台紙ＰＣＰの最も上端側にある設定識別子ＣＤと設定項目を示す設定識別子ＣＤのみが読み取られることとなる。
【００３５】
図５は、本実施形態における設定管理テーブルＴ２の構成例を示す図である。本実施形態における設定管理テーブルＴ２は、設定特定部１８ｃ（詳しくは後述）により管理され、例えば、処理部１８ｆ（詳しくは後述）が各種の処理を実行する際に参照されるテーブルであり、図５に示すように、「設定項目」毎に、「設定値」が対応付けられているテーブルである。
【００３６】
「設定項目」欄と「設定値」欄には、それぞれ、設定特定部１８ｃにより特定された、各設定カードＰＣＤの設定項目と設定値が格納される。つまり、設定管理テーブルＴ２は、処理対象を処理する際の各種の設定を保持するテーブルである。例えば、読み取られた設定カード用台紙ＰＣＰが図３に例示する設定カード用台紙ＰＣＰである場合には、設定項目「モード」と設定値「コピー」と、設定項目「両面」と設定値「両→片」と、設定項目「カラー」と設定値「オート」とが、それぞれ、設定特定部１８ｃにより対応付けられて、設定管理テーブルＴ２に格納される。
【００３７】
図６は、本実施形態における禁止設定管理テーブルＴ３の構成例を示す図である。本実施形態における禁止設定管理テーブルＴ３は、例えば、設定管理テーブルＴ２に登録されている設定に禁止設定が含まれるか否かを判定する際に判定部１８ａにより参照されるテーブルであり、図６に示すように、禁止設定の一覧を管理しているテーブルである。
【００３８】
禁止設定とは、含まれていると処理不可となる設定であり、禁止設定としては、例えば、処理対象のデータの取得方法に応じて制限される設定を含む設定や、管理者により利用が制限されている設定や、設定画面においてある設定を選択した場合に同時に選択できなくなるような設定の組み合わせを含む設定などである。処理対象のデータの取得方法に応じて制限される設定を含む設定は、例えば、処理対象のデータが第２取得部１２により取得された場合における「コピー」や「スキャン」を含む設定などであり、また、例えば、処理対象のデータが第１取得部１１により取得された場合における「プリント」を含む設定などである。
【００３９】
同時に選択できなくなるような設定の組み合わせを含む設定は、例えば、「フィニッシャー」と「小冊子」との組み合わせを含む設定や、同じ設定項目に属する複数の設定を含む設定などの、いわゆる、排他的な設定である。同じ設定項目に属する複数の設定を含む設定は、例えば、「コピー」と「プリント」の設定を含む設定や、「両→片」と「両→両」の設定を含む設定などである。
【００４０】
図１に戻り、表示部１４は、ＬＣＤ（Liquid Crystal Display）や有機ＥＬ（Electro-Luminescence）などの表示装置などで構成され、例えば、画像や各種のメッセージや各種の機能ボタンなどを表示画面上に表示する。例えば、表示部１４は、表示画面上に、各種の設定が可能な設定画面を表示する。
【００４１】
操作部１５は、テンキ−や表示部１４の表示画面上に表示されるタッチパネルなどで構成され、ユーザは、操作部１５を操作して、印刷装置１０への指示を入力することで、所望の処理を実行させることも可能である。
【００４２】
プリンタ部１６は、プリンタエンジンなどで構成され、例えば、設定特定部１８ｃにより特定された設定項目が「プリント」であり、処理部１８ｆによりラスタデータが生成されると、プリンタ部１６は、処理部１８ｆの制御の下、生成されたラスタデータに基づいて、印刷媒体に印刷し出力する。また、例えば、設定特定部１８ｃにより特定された設定項目が「コピー」である場合には、プリンタ部１６は、処理部１８ｆの制御の下、第１取得部１１により生成された画像データを印刷媒体に印刷して出力する。
【００４３】
通信部１７は、モデムや通信モジュールなどで構成され、処理部１８ｆの制御の下、ＦＡＸの送信や、スキャナで読み取った画像データ（所定のフォーマットに変換され）を所定のフォルダに格納する処理を行う。
【００４４】
制御部１８は、ＣＰＵなどで構成され、記憶部１３のプログラムエリアに格納されている動作プログラムを実行して、図１（Ａ）に示すように、判定部１８ａと、第１取得制御部１８ｂと、設定特定部１８ｃと、報知制御部１８ｄと、第２取得制御部１８ｅと、処理部１８ｆとしての機能を実現すると共に、印刷装置１０全体を制御する制御処理や詳しくは後述の読取処理などの処理を実行する。
【００４５】
判定部１８ａは、第１取得部１１のＡＤＦに媒体が搭載されたか否かを判定する。より具体的には、ＡＤＦの搭載面に配置された媒体検知センサが媒体を検知したか否かにより、判定部１８ａは、第１取得部１１のＡＤＦに媒体が搭載されたか否かを判定する。媒体検知センサは、例えば、マイクロスイッチや透過型センサなどである。
【００４６】
また、判定部１８ａは、第１取得部１１のスキャナが供給された媒体の所定範囲ＳＡを読み取ったか否かを判定し、所定範囲ＳＡを読み取ったと判定した場合には、更に、所定範囲ＳＡに台紙識別子ＰＩＤが存在するか否かを判定する。
【００４７】
また、判定部１８ａは、第２取得部１２に可搬型記憶装置が接続されているか否かを判定する。また、判定部１８ａは、設定管理テーブルＴ２に登録されている設定に禁止設定が含まれているか否かを判定する。より具体的には、判定部１８ａは、禁止設定管理テーブルＴ３を参照し、禁止設定管理テーブルＴ３に登録されている禁止設定が設定管理テーブルＴ２に有るか否かを判定する。
【００４８】
第１取得制御部１８ｂは、第１取得部１１を制御する。より具体的には、第１取得部１１のＡＤＦに媒体が搭載されると、第１取得制御部１８ｂは、第１取得部１１を制御して、媒体を1枚ずつスキャナに送出させ、送出させた媒体の所定範囲ＳＡをスキャナで読み取らせる。そして、所定範囲ＳＡ内に台紙識別子ＰＩＤが存在する場合には、第１取得制御部１８ｂは、第１取得部１１を制御して、読取範囲管理テーブルＴ１で規定されている読取範囲に従って、媒体を読み取らせることで、ユーザが所望する設定内容（読取範囲内の設定識別子ＣＤ）を取得させる。
【００４９】
一方、所定範囲ＳＡ内に台紙識別子ＰＩＤが存在しない場合には、第１取得制御部１８ｂは、第１取得部１１を制御して、媒体全体を読み取らせて画像データを生成させ、生成させた画像データをデータ格納部１３ｂに格納させる。
【００５０】
設定特定部１８ｃは、第１取得部１１により取得された設定識別子ＣＤが示す設定項目、又は、設定値をそれぞれ特定する。そして、設定特定部１８ｃは、特定した設定項目ごとに属する設定値を対応付けて設定管理テーブルＴ２に格納する。
【００５１】
報知制御部１８ｄは、表示部１４を制御して、表示画面上に各種のメッセージなどを表示させることで、各種の報知を行わせる。例えば、報知制御部１８ｄは、エラーが生じた場合に、表示部１４を制御して、表示画面上にエラーが発生した旨を示すメッセージを表示させる。また、報知制御部１８ｄは、設定管理テーブＴ２に登録された設定の中に禁止設定が含まれている場合に、表示部１４を制御して、表示画面上に再設定を指示するメッセージを表示させる。
【００５２】
第２取得制御部１８ｅは、第２取得部１２を制御し、第２取得部１２に接続されている可搬型記憶装置から処理対象のデータを取得させ、データ格納部１３ｂに格納させる。
【００５３】
処理部１８ｆは、禁止設定が無い場合に、設定管理テーブルＴ２に登録されている設定に従って、データ格納部１３ｂに格納されている処理対象のデータに対して処理を実行する。例えば、登録されている「モード」の設定値が「プリント」である場合には、処理部１８ｆは、処理対象のデータ（この場合は、第２取得部１２により取得されたデータ）に基づいてラスタデータを生成し、プリンタ部１６を制御して、生成したラスタデータに基づいて印刷処理を実行させる。また、例えば、登録されている「モード」の設定値が「コピー」である場合には、処理部１８ｆは、プリンタ部１６を制御して、第１取得部１１により生成された画像データに基づいて印刷（コピー）処理を実行させる。
【００５４】
また、例えば、登録されている「モード」の設定値が「ＦＡＸ」の場合には、処理部１８ｆは、通信部１７を制御して、第１取得部１１又は第２取得部１２により取得されたデータ（原稿）を設定に従ってＦＡＸする。また、例えば、登録されている「モード」の設定値が「スキャン」の場合には、処理部１８ｆは、第１取得部１１により生成された画像データを所定のフォーマットに変換して、通信部１７を制御して、所定のフォルダに格納させる。
【００５５】
次に、図７と図８を参照して、本実施形態における読取処理の流れについて説明する。図７と図８は、それぞれ、本実施形態における読取処理のフローを説明するためのフローチャートの例の一部と、他の一部である。本読取処理は、第１取得部１１のＡＤＦに媒体が搭載されたことをトリガとして開始される。
【００５６】
判定部１８ａは、第１取得部１１のＡＤＦに媒体が搭載されたか否かを判定する（ステップＳ００１）。判定部１８ａにより媒体は搭載されていないと判定された場合には（ステップＳ００１；ＮＯ）、処理はステップＳ００１の処理を繰り返し、ＡＤＦに媒体が搭載されるのを待つ。
【００５７】
一方、判定部１８ａにより媒体が搭載されたと判定された場合には（ステップＳ００１；ＹＥＳ）、第１取得制御部１８ｂは、第１取得部１１を制御して、ＡＤＦに搭載された媒体をスキャナに１枚供給させ（ステップＳ００２）、供給させた媒体の読取を開始させる（ステップＳ００３）。
【００５８】
そして、判定部１８ａは、第１取得部１１が供給された媒体の所定範囲ＳＡを読み取ったか否かを判定する（ステップＳ００４）。判定部１８ａにより、所定範囲ＳＡをまだ読み取っていないと判定された場合には（ステップＳ００４；ＮＯ）、処理はステップＳ００４の処理を繰り返し、第１取得部１１が読取対象の媒体の所定範囲ＳＡを読み取るのを待つ。一方、所定範囲ＳＡを読み取ったと判定した場合には（ステップＳ００４；ＹＥＳ）、判定部１８ａは、更に、所定範囲ＳＡに台紙識別子ＰＩＤが存在するか否かを判定する（ステップＳ００５）。
【００５９】
判定部１８ａにより、台紙識別子ＰＩＤが存在すると判定された場合、つまり、読取対象の媒体が設定カード用台紙ＰＣＰである場合には（ステップＳ００５；ＹＥＳ）、第１取得制御部１８ｂは、第１取得部１１を制御して、読取範囲管理テーブルＴ１で規定されている読取範囲に従って、読取対象の媒体を読み取らせることで、読取範囲内の設定識別子ＣＤを読み取らさせる（ステップＳ００６）。
【００６０】
そして、設定特定部１８ｃは、第１取得部１１により取得された設定識別子ＣＤが示す設定項目、又は、設定値をそれぞれ特定し（ステップＳ００７）、特定した設定項目ごとに属する設定値を対応付けて設定管理テーブルＴ２に格納する（ステップＳ００８）。
【００６１】
そして、判定部１８ａは、第１取得部１１のＡＤＦに未処理の媒体が搭載されているか否かを判定する（ステップＳ００９）。判定部１８ａにより未処理の媒体が残っていると判定された場合には（ステップＳ００９；ＹＥＳ）、処理はステップＳ００２の処理へと戻り、前述の処理を繰り返す。
【００６２】
一方、未処理の媒体はないと判定した場合には（ステップＳ００９；ＮＯ）、判定部１８ａは、更に、第２取得部１２に可搬型記憶装置が接続されているか否かを判定する（ステップＳ０１０）。判定部１８ａにより接続されていないと判定された場合には（ステップＳ０１０；ＮＯ）、報知制御部１８ｄは、表示部１４を制御して、表示画面上にエラーが発生した旨を示すメッセージ（処理対象のデータが存在しない旨のメッセージ）を表示させる（ステップＳ０１１）。そして、設定管理テーブルＴ２をリセットした後に、本処理は終了する。
【００６３】
一方、判定部１８ａにより接続されていると判定された場合には（ステップＳ０１０；ＹＥＳ）、第２取得制御部１８ｅは、第２取得部１２を制御して、接続されている可搬型記憶装置から処理対象のデータを取得させ、データ格納部１３ｂに格納させる（ステップＳ０１２）。そして、処理は後述のステップＳ１０５の処理へと進む。
【００６４】
ステップＳ００５の処理において、判定部１８ａにより、台紙識別子ＰＩＤが存在しないと判定された場合、つまり、読取対象の媒体が処理対象の原稿である場合には（ステップＳ００５；ＮＯ）、第１取得制御部１８ｂは、第１取得部１１を制御して、読取対象の原稿全体を読み取らせ画像データを生成させ（ステップＳ１０１）、生成させた画像データをデータ格納部１３ｂに格納させる（ステップＳ１０２）。
【００６５】
そして、判定部１８ａは、第１取得部１１のＡＤＦに未処理の媒体が搭載されているか否かを判定する（ステップＳ１０３）。判定部１８ａにより未処理の媒体が残っていると判定された場合には（ステップＳ１０３；ＹＥＳ）、第１取得制御部１８ｂは、第１取得部１１を制御して、ＡＤＦに搭載されている媒体をスキャナに１枚供給させ（ステップＳ１０４）、処理はステップＳ１０１の処理へと戻り、前述の処理を繰り返す。
【００６６】
一方、未処理の媒体はないと判定した場合には（ステップＳ１０３；ＮＯ）、判定部１８ａは、更に、設定管理テーブルＴ２に登録されている設定に禁止設定が含まれているか否かを判定する（ステップＳ１０５）。判定部１８ａにより、禁止設定が含まれていると判定された場合には（ステップＳ１０５；ＹＥＳ）、報知制御部１８ｄは、表示部１４を制御して、表示画面上に再設定を指示するメッセージを表示させる（ステップＳ１０６）。そして、データ格納部１３ｂと設定管理テーブルＴ２をリセットした後、本処理は終了する。
【００６７】
一方、判定部１８ａにより、禁止設定が含まれていないと判定された場合には（ステップＳ１０５；ＮＯ）、処理部１８ｆは、設定管理テーブルＴ２に登録されている設定内容に従って、データ格納部１３ｂに格納されている処理対象のデータに対して処理を実行する（ステップＳ１０７）。そして、データ格納部１３ｂと設定管理テーブルＴ２をリセットした後、本処理は終了する。
【００６８】
上記実施形態によれば、印刷装置１０は、設定識別子ＣＤを有する設定カードＰＣＤが配置された設定カード用台紙ＰＣＰを読み取って、ユーザが所望する設定内容を取得し、第１取得部１１、又は、第２取得部１２を介して、処理対象のデータを取得し、取得した設定内容に従って、処理対象のデータを処理する。このように構成することで、操作部１５を介して各種の設定を入力することなく、ユーザが所望する各種の処理を、印刷装置１０単体で実行することが可能となる。
【００６９】
また、上記実施形態によれば、印刷装置１０は、読取範囲管理テーブルＴ１で規定されている読取範囲に従って、読取範囲内の設定識別子ＣＤを読み取ることで、ユーザが所望する設定内容を取得する。このように構成することで、設定カードＰＣＤに複数の異なる設定が含まれる場合であっても、ユーザが所望する設定を取得することが可能となり、所望する処理を実行するために配置しなければならない設定カードＰＣＰの数を削減することが可能となる。つまり、同じ設定カードＰＣＰに同じ「設定項目」に属する複数の「設定値」に対応した設定識別子ＣＤを配置することが可能となる。
【００７０】
また、上記実施形態によれば、印刷装置１０は、処理対象のデータが無い場合には、エラー（処理対象のデータが存在しない旨のメッセージ）を報知し、処理を中止する。このように構成することで、ユーザは、処理が中止された理由を知ることが可能となり、すぐに対応することが可能となる。
【００７１】
また、上記実施形態によれば、印刷装置１０は、取得した設定内容に禁止設定が含まれているか否かを判定し、禁止設定が含まれている場合には、処理を中止する。このように構成することで、処理不可となる処理を実行し、エラーが発生してしまうのを未然に防止することが可能となる。
【００７２】
また、上記実施形態によれば、印刷装置１０は、禁止設定が含まれている場合には、再設定を指示する。このように構成することで、ユーザは、処理が中止された理由を知ることが可能となり、すぐに対応することが可能となる。
【００７３】
なお、上記実施形態において、設定カード用台紙ＰＣＰの設定カードＰＣＤの形状が設定項目毎及び設定値毎で全て共通しているが、より詳細な設定をするための設定値の設定カードＰＣＤの形状は設定項目の設定カードＰＣＤの形状よりも小さくし、設定項目の設定カードＰＣＤと詳細な設定値の設定カードＰＣＤ同士を接合できるようにしてもよい。これにより、ユーザが詳細な設定値を設定していることを簡単に視認することができる。
【００７４】
また、上記実施形態において、印刷装置１０は、読取対象が設定カード用台紙ＰＣＰの場合であっても、読取範囲を制御することなく全体を読み取り、予め設定されている有効領域Ｖ内の設定識別子ＣＤを抽出することで、ユーザが所望する設定内容を取得するようにしてもよい。このように構成することで、読取範囲を制御することなく、ユーザが所望する設定内容を取得することが可能となる。
【００７５】
また、予め設定されている有効領域Ｖ内の設定識別子ＣＤを抽出するように構成することで、利用可能な設定カードＰＣＤの形状を限定する必要がなくなる。例えば、図９を参照して、設定カードＰＣＤが、図９に示すように、四角形状であるとすると、上記実施形態のように予め定められた読取範囲に従って読み取る場合には、図９（Ｃ）に示すよう、「設定項目」を示す設定識別子ＣＤのみを読み取ることができない。この場合、図９（Ｅ）に示すように、設定識別子ＣＤの配置を工夫することで対処可能であるが、設定カードＰＣＤを小型化することが困難となる。そのため、例えば、複数の設定項目を設定したい場合には、所望する処理を実行させるために多くの設定カード用台紙ＰＣＰを読み取らせる必要があり不便である。
【００７６】
一方、有効領域Ｖ内の設定識別子ＣＤを抽出することで、図９（Ｄ）に示すように、設定カードＰＣＤの形状に関わらず、ユーザが所望する設定のみを抽出することが可能となる。もちろん、上記実施形態における読取範囲を有効範囲Ｖと同じように定義し、このように定義された読取範囲に従って、媒体を読み取るように構成しても、同様の効果を得られる。ここで、図９（Ａ）乃至（Ｅ）は、変形例の効果を説明するための図である。
【００７７】
また、予め定めた有効領域Ｖに従って、設定を有効とする設定識別子ＣＤを抽出すると上述したが、これに限定されるものではなく、例えば、図１０に示すように、各有効領域Ｖに対応する領域部分のみが裏側から視認可能なように構成されている設定カード用台紙ＰＣＰを使用してもよい。ここで、図１０は、設定カード用台紙ＰＣＰの別の例を示す図であり、裏側から見た場合を示す図である。
【００７８】
また、上記実施形態において、本発明を複合機である印刷装置１０に適用した場合について説明したが、これに限定されるものではなく、単一の機能のみを備えた情報処理装置、例えば、プリント機能のみを備えた印刷装置１０やコピー機能のみを備えたコピー装置などに対しても適用可能である。この場合、設定項目が「モード」の設定カードＰＣＤは用意する必要はない。
【００７９】
また、上記実施形態において、禁止設定が含まれている場合には、印刷装置１０は、表示画面上に再設定を指示するメッセージを表示し、処理を中止すると説明した。しかしながら、これに限定されるものではなく、例えば、処理を中止することなく、再度、設定カード用台紙ＰＣＰを受け付けるように構成してもよい。また、再設定を指示するメッセージにより含まれている禁止設定を報知するように構成してもよい。
【００８０】
また、上記実施形態において、第１取得部１１により原稿が読み取られておらず、第２取得部１２に可搬型記憶装置が接続されていない場合に、表示画面上にエラーが発生した旨を示すメッセージ（処理対象のデータが存在しない旨のメッセージ）を表示し、処理を中止すると説明した。しかしながら、これに限定されるものではなく、例えば、処理対象の原稿を第１取得部１１のＡＤＦに搭載、あるいは、処理対象のデータを格納した可搬型記憶装置を第２取得部１２に接続するように促し、処理を続行するように構成してもよい。
【００８１】
なお、上記動作を実行するための動作プログラムを、フレキシブルディスク、ＣＤ−ＲＯＭ（Compact Disk-Read Only Memory）、ＤＶＤ（Digital Versatile Disk）、ＭＯ（Magneto Optical disk）などのコンピュータで読み取り可能な記録媒体に記憶して配布し、これを印刷装置１０のコンピュータにインストールすることにより、上述の処理を実行するように構成してもよい。さらに、インターネット上のサーバ装置が有するディスク装置等にプログラムを記憶しておき、例えば、搬送波に重畳させて、コンピュータにダウンロード等するものとしてもよい。
【００８２】
以上本発明の実施形態について説明したが、本発明は、以上に述べた実施形態に限定されるものではなく、本発明の要旨を逸脱しない範囲内で種々の構成又は実施形態を取ることができる。
【符号の説明】
【００８３】
１０      印刷装置
１１      第１取得部
１２      第２取得部
１３      記憶部
１３ａ    テーブル格納部
Ｔ１      読取範囲管理テーブル
Ｔ２      設定管理テーブル
Ｔ３      禁止設定管理テーブル
１３ｂ    データ格納部
１４      表示部
１５      操作部
１６      プリンタ部
１７      通信部
１８      制御部
１８ａ    判定部
１８ｂ    第１取得制御部
１８ｃ    設定特定部
１８ｄ    報知制御部
１８ｅ    第２取得制御部
１８ｆ    処理部
ＰＣＤ    設定カード
ＣＤ      設定識別子
ＰＣＰ    設定カード用台紙
ＰＩＤ    台紙識別子
ＰＣＧ    配置ガイド
ＳＡ        所定領域
Ａ１〜Ａ６    読取範囲
Ｖ１〜Ｖ１２  有効領域
【図１】
2015226160.tif 000003
【図４】
2015226160.tif 000004
【図５】
2015226160.tif 000005
【図６】
2015226160.tif 000006
【図７】
2015226160.tif 000007
【図８】
2015226160.tif 000008
【図２】
2015226160.tif 000009
【図３】
2015226160.tif 000010
【図９】
2015226160.tif 000011
【図１０】
2015226160.tif 000012